(57)【要約】【課題】  アンカーボルトを使用できない床面に設置された重量物の振動、騒音、転倒を簡単な免震構造により防止する。【解決手段】  機械１の免震構造１１において、制振パッド１２のゲル状弾性体１５に塑性変形可能な支持体１６を埋設する。ゲル状弾性体１５の裏面粘着層を床面に接着し、ゲル状弾性体１５の表面粘着層に加圧プレート１３を接着する。加圧プレート１３は、機械１の荷重を受けて制振パッド１２の全体を均一に加圧する。加圧プレート１３の上面にホルダ１４のベース２１を溶接し、ベース２１に立設したボルト２２を脚部２の通孔３に貫通させ、ホルダ１４によって脚部２を加圧プレート１３上に横移動不能に拘束する。【選択図】        図２
2013125231.tif 000002
【特許請求の範囲】
【請求項１】
ゲル状弾性体に塑性変形可能な支持体を埋設した制振パッドと、重量物の荷重を受けて制振パッドを加圧する加圧プレートとを備え、床面上に制振パッドを設置し、制振パッド上に加圧プレートを接合し、加圧プレートに重量物の横滑りを防止するためのホルダを設けたことを特徴とする免震構造。
【請求項２】
前記加圧プレートの下側に制振パッドを取り囲むように規制壁を設け、規制壁より外側の加圧プレートと床面との間にコーキング材を充填し、規制壁より内側の加圧プレートと床面との間に前記ゲル状弾性体の変形を許容するための空隙を形成した請求項１記載の免震構造。
【請求項３】
前記規制壁がリング状に形成され、加圧プレートの下面に保持されている請求項２記載の免震構造。
【請求項４】
前記ゲル状弾性体の表裏両面に粘着層を設け、裏面粘着層により制振パッドを床面に接着し、表面粘着層により加圧プレートを制振パッドに接着した請求項１記載の免震構造。
【請求項５】
前記ホルダが重量物の脚部を貫通するボルトを含み、ボルトに脚部の高さを調節するためのナットを螺合した請求項１記載の免震構造。
【請求項６】
前記ホルダと加圧プレートの間に防振ゴムを介装した状態で、アーチ形部材によりホルダを加圧プレートに締め付けた請求項１記載の免震構造。
【請求項７】
前記ホルダが重量物の脚部を取り囲む筒形部材を含む請求項１記載の免震構造。
【請求項８】
ゲル状弾性体に塑性変形可能な支持体を埋設した制振パッドを用意する手順と、制振パッドを加圧する加圧プレートを用意する手順と、制振パッドを床面上に設置する手順と、加圧プレートを制振パッドの表面に接合する手順と、重量物の脚部を加圧プレートの上に載せる手順と、重量物の荷重により加圧プレートを介して制振パッドを加圧する手順と、加圧プレート上に設けられたホルダを重量物の脚部に結合して、重量物の横滑りを防止する手順とを備えたことを特徴とする免震施工法。
【請求項９】
前記重量物の脚部を載せる前に、加圧プレートの下側に制振パッドを取り囲むように規制壁を配置する手順を備え、重量物の脚部を載せた後に、規制壁より外側の加圧プレートと床面との間にコーキング材を充填し、規制壁より内側の加圧プレートと床面との間に前記ゲル状弾性体の変形を許容するための空隙を形成する手順を備えた請求項８記載の免震施工法。
【請求項１０】
前記規制壁がリング状に形成され、加圧プレートの下面に保持された状態で制振パッドの周囲に配置される請求項９記載の免震施工法。
【請求項１１】
前記制振パッドを設置する手順において、ゲル状弾性体の裏面粘着層が床面に接着され、加圧プレートを接合する手順において、ゲル状弾性体の表面粘着層に加圧プレートが接着される請求項８記載の免震施工法。
【請求項１２】
前記重量物の横滑りを防止する手順が、ホルダに設けられたボルトを重量物の脚部に結合する手順と、ボルトに螺合したナットにより脚部の高さを調節する手順とを含む請求項８記載の免震施工法。
【発明の詳細な説明】
【技術分野】
【０００１】
本発明は、床面上に設置される機械、タンク、ショーケース等の各種重量物の振動、騒音、地震による転倒を防止するための免震構造および免震施工法に関する。
【背景技術】
【０００２】
従来、工場等に設備された機器類は、通常、アンカーボルトを用いて床面に固定されている。例えば、図１２に示す機械５１は、脚部５２を貫通するアンカーボルト５３によりナット５４を介してコンクリート製の床面Ｆに据え付けられている。しかし、転倒防止対策としてアンカーボルト５３を使用できない重量物もある。例えば、図１３に示すように、飲料水を貯蔵するタンク５５は、衛生管理上の必要性から架台５６によって高所に設置され、架台５６の脚部５７が金属製の敷板５８を介して防水性の床面Ｆに支持され、製造ラインの改変に際して設置場所を容易に変更できるようになっている。【０００３】
また、簡易に施工できる点で、従来、設備機器と床面との間に防振ゴムを介在させる免震構造が広く採用されている。なお、特許文献１には、墓石の転倒を防止するために、弾性体シート中に球状体を埋設し、弾性体シートを中台と竿石との間に介在させ、球状体の塑性変形によって地震に伴う震動を効率よく吸収する技術が提案されている。
【先行技術文献】
【特許文献】
【０００４】
【特許文献１】特許第４２３８２７７号公報
【発明の概要】
【発明が解決しようとする課題】
【０００５】
ところが、アンカーボルトを用いた従来の免震構造は、防水性の床面や可搬性の重量物に適用できないばかりでなく、既設重量物の耐震工事が大掛かりになるという問題点があった。また、防振ゴムを用いた従来の免震構造によると、地震発生時の横揺れで重量物の脚部が横滑りを生じ、防振ゴムが短時間で機能しなくなり、重量物が転倒してしまうという問題点があった。【０００６】
そこで、本発明の目的は、各種の床面や重量物に汎用できるとともに、簡単な施工によって既設重量物の振動、騒音、耐震性能を高めることができる免震構造および免震施工法を提供することにある。
【課題を解決するための手段】
【０００７】
上記課題を解決するために、本発明は次のような免震構造と免震施工法を提供する。
（１）ゲル状弾性体に塑性変形可能な支持体を埋設した制振パッドと、重量物の荷重を受けて制振パッドを加圧する加圧プレートとを備え、床面上に制振パッドを設置し、制振パッド上に加圧プレートを接合し、加圧プレートに重量物の脚部を横移動不能に拘束するホルダを設けたことを特徴とする免震構造。【０００８】
（２）加圧プレートの下側に制振パッドを取り囲むように規制壁を設け、規制壁より外側の加圧プレートと床面との間にコーキング材を充填し、規制壁より内側の加圧プレートと床面との間に前記ゲル状弾性体の変形を許容するための空隙を形成したことを特徴とする免震構造。【０００９】
（３）規制壁がリング状に形成され、加圧プレートの下面に保持されていることを特徴とする免震構造。【００１０】
（４）ゲル状弾性体の表裏両面に粘着層を設け、裏面粘着層により制振パッドを床面に接着し、表面粘着層により加圧プレートを制振パッドに接着したことを特徴とする免震構造。【００１１】
（５）ホルダが重量物の脚部を貫通するボルトを含み、ボルトに脚部の高さを調節するためのナットを螺合したことを特徴とする免震構造。【００１２】
（６）ホルダと加圧プレートの間に防振ゴムを介装した状態で、アーチ形部材によりホルダを加圧プレートに締め付けたことを特徴とする免震構造。【００１３】
（７）ホルダが重量物の脚部を取り囲む筒形部材を含むことを特徴とする免震構造。【００１４】
（８）ゲル状弾性体に塑性変形可能な支持体を埋設した制振パッドを用意する手順と、制振パッドを加圧する加圧プレートを用意する手順と、制振パッドを床面上に設置する手順と、加圧プレートを制振パッドの表面に接合する手順と、重量物の脚部を加圧プレートの上に載せる手順と、重量物の荷重により加圧プレートを介して制振パッドを加圧する手順と、加圧プレート上に設けられたホルダを重量物の脚部に結合して、重量物の横滑りを防止する手順とを備えたことを特徴とする免震施工法。【００１５】
（９）重量物の脚部を載せる前に、加圧プレートの下側に制振パッドを取り囲むように規制壁を配置する手順を備え、重量物の脚部を載せた後に、規制壁より外側の加圧プレートと床面との間にコーキング材を充填し、規制壁より内側の加圧プレートと床面との間にゲル状弾性体の変形を許容するための空隙を形成する手順を備えたことを特徴とする免震施工法。【００１６】
（１０）規制壁がリング状に形成され、加圧プレートの下面に保持された状態で制振パッドの周囲に配置されることを特徴とする免震施工法。【００１７】
（１１）制振パッドを設置する手順において、前記ゲル状弾性体の裏面粘着層が床面に接着され、前記加圧プレートを接合する手順において、ゲル状弾性体の表面粘着層に加圧プレートが接着されることを特徴とする免震施工法。【００１８】
（１２）重量物の横滑りを防止する手順が、ホルダに設けられたボルトを重量物の脚部に結合する手順と、ボルトに螺合したナットにより脚部の高さを調節する手順とを含むことを特徴とする免震施工法。
【発明の効果】
【００１９】
本発明の免震構造および免震施工法によれば、制振パッドがゲル状弾性体と塑性変形可能な支持体との組み合わせによって重量物の震動を効率よく吸収する。このため、アンカーボルトを使用する必要がなくなり、免震構造を各種の床面や重量物に汎用できるとともに、簡単な施工によって既設重量物の防振、防音および耐震性能を高めることもできる。また、ホルダが加圧プレート上で重量物の脚部を拘束するので、横揺れによる重量物の横滑りを防止し、地震発生時に制振パッドを長時間にわたって確実に機能させることができるという効果もある。
【図面の簡単な説明】
【００２０】
【図１】本発明の実施例１を示す免震構造の斜視図である。
【図２】図１の免震構造を分解して示す斜視図である。
【図３】図１の免震構造の施工手順を示す断面図である。
【図４】図２と異なる制振パッドを示す斜視図、および該パッドを用いた免震構造を示す断面図である。
【図５】本発明の実施例２を示す免震構造の分解斜視図である。
【図６】図５の免震構造を重量物の脚部に装備した状態を示す断面図である。
【図７】本発明の実施例３を示す免震構造の分解斜視図である。
【図８】図７の免震構造を重量物の脚部に装備した状態を示す断面図である。
【図９】本発明の実施例４を示す免震構造の断面図である。
【図１０】実施例１の変更例を示す免震構造の斜視図および部分断面図である。
【図１１】実施例２の変更例を示す免震構造の斜視図である。
【図１２】アンカーボルトを使用した従来技術を示す斜視図である。
【図１３】アンカーボルトを使用しない従来技術を示す立面図である。
【発明を実施するための形態】
【００２１】
以下、本発明の実施形態を図面に基づいて説明する。図１〜図４は実施例１の免震構造１１を示し、図５、図６は実施例２の免震構造２１１を示し、図７、図８は実施例３の免震構造３１１を示し、図９は実施例４の免震構造４１１を示す。各図において、同一の符号は同一または類似する構成要素を示す。
【実施例１】
【００２２】
図１、図２に示すように、実施例１の免震構造１１は、重量物である機械１と床面Ｆとの間に施工されている。機械１は複数の脚部２を備え、免震構造１１が床面Ｆに対する脚部２の高さを調節する機能を備えている。免震構造１１は、床面Ｆに設置される制振パッド１２（図２参照）と、制振パッド１２を加圧する加圧プレート１３とを装備し、加圧プレート１３上に機械１の脚部２を拘束するホルダ１４が設けられている。【００２３】
図２、図３に示すように、制振パッド１２は、弾粘性を保有するゲル状弾性体１５と塑性変形可能な支持体１６とで構成されている。ゲル状弾性体１５は、透明または半透明な高分子材料で円形に成形されている。ゲル状弾性体１５の表裏両面には粘着層１５ａ，１５ｂ（図３参照）が設けられ、裏面粘着層１５ｂにより制振パッド１２が床面Ｆに接着され、表面粘着層１５ａにより加圧プレート１３が制振パッド１２に接着される。【００２４】
支持体１６は、軟質金属材料でゲル状弾性体１５の厚みよりも僅かに大きい直径の球形に形成され、例えば３個がゲル状弾性体１５の等角度位置に埋設されている。そして、制振パッド１２の自然状態では（図３ａ参照）、支持体１６の頂部がゲル状弾性体１５の表面粘着層１５ａより露出し、制振パッド１２の加圧状態（図３ｂ参照）で、支持体１６がゲル状弾性体１５の厚さと同じ高さまで圧縮される。【００２５】
加圧プレート１３は、ステンレス鋼により制振パッド１２よりも大きな面積の円形に形成され、機械１の荷重を受けて制振パッド１２の全体を均一な力で圧縮できるようになっている。加圧プレート１３の裏面には、同じくステンレス鋼製の補強プレート１７が溶接されている。補強プレート１７は、制振パッド１２よりも大径で加圧プレート１３よりも小径の円形に形成され、補強プレート１７の周縁に規制壁１８が下向きに突設されている。【００２６】
規制壁１８の内側には、制振パッド１２の半径方向への変形を許容する空隙１９が形成されている。規制壁１８の外側には、加圧プレート１３の外周と床面Ｆとの隙間を密閉するためのコーキング材２０が充填されている。コーキング材２０は、制振パッド１２の変形を阻害しないように、規制壁１８により空隙１９側への進入が規制されている。なお、規制壁１８は、制振パッド１２の圧縮時でも床面Ｆに当接しない高さに形成されている。【００２７】
ホルダ１４は、ベース２１とボルト２２と調節ナット２３とロックナット２４とで構成されている。ベース２１は加圧プレート１３上に溶接により固定され、ボルト２２がベース２１の中央部に立設されている。ボルト２２の上端部は脚部２の通孔３（図２参照）を貫通し、加圧プレート１３上に脚部２を横移動不能に拘束する。調節ナット２３およびロックナット２４は脚部２の下と上においてボルト２２に螺合し、脚部２の高さを調節可能となっている。【００２８】
免震構造１１の施工にあたっては、まず、図３（ａ）に示すように、制振パッド１２の裏面粘着層１５ｂを床面Ｆに接着し、制振パッド１２の表面粘着層１５ａに加圧プレート１３を接着する。次に、図３（ｂ）に示すように、ボルト２２を脚部２に貫通させ、ナット２３，２４で高さ調節をしたのち、ホルダ１４で脚部２を拘束する。こうすれば、アンカーボルトを使用することなく、ごく簡単な施工により既設機械１の防振、防音、耐震性能を高めることができる。また、制振パッド１２が設備機器の振動を吸収するため、ネジの緩み、衝撃による摩耗、損傷も効果的に抑制できる。特に、制振パッド１２の周囲をコーキング材２０で密閉し、ゴミや不純物の侵入を防ぎ、脚部２の周辺環境を衛生的に保つことができる。【００２９】
図４に示す免震構造１１では、制振パッド１２のゲル状弾性体１５中に金属または樹脂材料からなる円形のリング２６が埋設され、リング２６の内側に支持体１６が配置されている。この構成によれば、リング２６によって支持体１６をゲル状弾性体１５の等角度位置に強固に保持し、制振パッド１２の吸震性能を長期間安定させることができる。
【実施例２】
【００３０】
図５、図６に示す実施例２の免震構造２１１では、ホルダ１４のベース２１と加圧プレート１３の間に防振ゴム２９が介装された状態で、４つのアーチ形部材２８によってベース２１が加圧プレート１３に締め付けられている。アーチ形部材２８は縦横に組み合わされ、ナット３０で加圧プレート１３上のボルト３１に取り付けられている。ベース２１の下面には中間プレート３２が固着され、その周縁にコーキング材３３を堰き止める規制壁３４が設けられている。そして、規制壁３４の内側に防振ゴム２９が配置され、防振ゴム２９と制振パッド１２を含む上下２段の弾性部材によって高度の吸震作用を発揮できるようになっている。
【実施例３】
【００３１】
図７、図８に示す実施例３の免震構造３１１では、ホルダ１４が重量物５の脚部６を取り囲む筒形部材３６を備え、筒形部材３６によって脚部６を加圧プレート１３上に横移動不能に拘束している。脚部６は、重量物５（一部のみ図示）にネジ７で高さ調整可能に取り付けられ、筒形部材３６に対して取り出し可能に挿入されている。したがって、実施例３の免震構造３１１は、例えば工具台やショーケース等の比較的軽量で可搬性が求められる重量物に好ましく適用できる。なお、図示例の制振パッド１２には、ゲル状弾性体１５の中心部にそれぞれ一つの支持体１６とリング２６が埋設されている。
【実施例４】
【００３２】
図９に示す実施例４の免震構造４１１では、ホルダ１４が脚部６の車輪８を取り囲む筒形部材３７を備え、筒形部材３７によって車輪８が加圧プレート１３上に横方向へ転動不能に拘束されている。したがって、実施例４の免震構造４１１によれば、特に、車輪８を装備した可搬性重量物の地震に伴う暴走を未然に防止することができる。【００３３】
本発明は、上記実施例に限定されるものではなく、以下に例示するように、発明の趣旨を逸脱しない範囲で、各部の形状や構成を任意に変更して実施することも可能である。
（１）実施例１の免震構造１１において、補強プレート１３（図３参照）を省き、図１０に示すように、規制壁１８を加圧プレート１３から分離したリング状に形成すること。施工に際しては、制振パッド１２を床面Ｆに接着し、制振パッド１２を外側から取り囲むように規制壁１８を両面接着テープ２７で加圧プレート１３の下面に保持し、加圧プレート１３を制振パッド１２に接着し、加圧プレート１３と床面Ｆとの隙間にコーキング材２０を充填し、これを規制壁１８でせき止める。こうすれば、より簡単で安価な構成により実施例１と同等の作用効果が得られる。【００３４】
（２）実施例２の免震構造２１１において、補強プレート１３と中間プレート３２（図６参照）を共に省略し、図１１に示すように、２つの規制壁１８，３４を共にリング状に形成し、加圧プレート１３およびホルダ１４から分離し、規制壁１８，３４によってコーキング材２０，３３（図６参照）をせき止めること。この構成によっても、より安価な構成で実施例２と同等の作用効果が得られる。【００３５】
（３）実施例３の免震構造３１１（図８参照）および実施例４の免震構造４１１（図９参照）において、上記（１）と同様に、補強プレート１７を省略し、規制壁１８をリング状に形成すること。
（４）その他、免震構造の用途に合せて各部の形状や構成を適宜に変更すること。
【符号の説明】
【００３６】
１    重量物
２    脚部
１１    免震構造
１２    制振パッド
１３    加圧プレート
１４    ホルダ
１５    ゲル状弾性体
１６    支持体
２２    ボルト
２３    調節ナット
２８    アーチ形部材
２９    防振ゴム
Ｆ    床面
【図１】
2013125231.tif 000003
【図２】
2013125231.tif 000004
【図３】
2013125231.tif 000005
【図４】
2013125231.tif 000006
【図５】
2013125231.tif 000007
【図６】
2013125231.tif 000008
【図７】
2013125231.tif 000009
【図８】
2013125231.tif 000010
【図９】
2013125231.tif 000011
【図１０】
2013125231.tif 000012
【図１１】
2013125231.tif 000013
【図１２】
2013125231.tif 000014
【図１３】
2013125231.tif 000015
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
ゲル状弾性体に塑性変形可能な支持体を埋設した制振パッドと、重量物の脚部から重量物の荷重を受けて制振パッドのゲル状弾性体と支持体を加圧する加圧プレートとを備え、床面上に制振パッドを設置し、制振パッド上に加圧プレートを接合し、加圧プレートに重量物の脚部を横移動不能に拘束するためのホルダを設けたことを特徴とする免震構造。
【請求項２】
前記加圧プレートの下側に制振パッドを取り囲むように規制壁を設け、規制壁より外側の加圧プレートと床面との間にコーキング材を充填し、規制壁より内側の加圧プレートと床面との間に前記ゲル状弾性体の変形を許容するための空隙を形成した請求項１記載の免震構造。
【請求項３】
前記規制壁がリング状に形成され、加圧プレートの下面に保持されている請求項２記載の免震構造。
【請求項４】
前記ゲル状弾性体の表裏両面に粘着層を設け、裏面粘着層により制振パッドを床面に接着し、表面粘着層により加圧プレートを制振パッドに接着した請求項１記載の免震構造。
【請求項５】
前記ホルダが重量物の脚部を貫通するボルトを含み、ボルトに脚部の高さを調節するためのナットを螺合した請求項１記載の免震構造。
【請求項６】
前記ホルダと加圧プレートの間に防振ゴムを介装した状態で、アーチ形部材によりホルダを加圧プレートに締め付けた請求項１記載の免震構造。
【請求項７】
前記ホルダが重量物の脚部を取り囲む筒形部材を含む請求項１記載の免震構造。
【請求項８】
ゲル状弾性体に塑性変形可能な支持体を埋設した制振パッドを用意する手順と、制振パッドを加圧する加圧プレートを用意する手順と、制振パッドを床面上に設置する手順と、加圧プレートを制振パッドの表面に接合する手順と、重量物の脚部を加圧プレートの上に載せる手順と、重量物の荷重により加圧プレートを介して制振パッドのゲル状弾性体と支持体を加圧する手順と、加圧プレート上に設けられたホルダを重量物の脚部に結合して、加圧プレートに対し重量物の脚部を横移動不能に拘束する手順とを備えたことを特徴とする免震施工法。
【請求項９】
前記重量物の脚部を載せる前に、加圧プレートの下側に制振パッドを取り囲むように規制壁を配置する手順を備え、重量物の脚部を載せた後に、規制壁より外側の加圧プレートと床面との間にコーキング材を充填し、規制壁より内側の加圧プレートと床面との間に前記ゲル状弾性体の変形を許容するための空隙を形成する手順を備えた請求項８記載の免震施工法。
【請求項１０】
前記規制壁がリング状に形成され、加圧プレートの下面に保持された状態で制振パッドの周囲に配置される請求項９記載の免震施工法。
【請求項１１】
前記制振パッドを設置する手順において、ゲル状弾性体の裏面粘着層が床面に接着され、加圧プレートを接合する手順において、ゲル状弾性体の表面粘着層に加圧プレートが接着される請求項８記載の免震施工法。
【請求項１２】
前記重量物の脚部を横移動不能に拘束する手順が、ホルダに設けられたボルトを重量物の脚部に結合する手順と、ボルトに螺合したナットにより脚部の高さを調節する手順とを含む請求項８記載の免震施工法。
【国際調査報告】
2013125231.tif 000016
2013125231.tif 000017
2013125231.tif 000018
2013125231.tif 000019